(57)【要約】      （修正有）【課題】ワイシャツやブラウス等の裾がズボンやスカート等の外に抜け出るのを防止するとともに、ズボンやスカート等がずれ落ちるのを防止する着衣のずれ防止機能を備えたインナーベルトを提供する。【解決手段】着衣のずれ防止機能を備えたインナーベルトは、腰部付近に巻いて装着するベルト部１１０と、ベルト部１１０を身体に装着した状態で繋ぎ止める接合部１２０と、ズボン側の一般ベルトの下縁に対して上縁が対向するように複数個設けられた突起構造物１３０ａ〜１３０ｆを備えている。突起構造物１３０ａ〜１３０ｆが、ズボンの中に収めたシャツ類を挟み込み、強い摩擦力を伴ってずれを防止する。なお、一般ベルトの下縁と上記の突起構造物の上縁との対向位置がベルト部１１０の上縁の位置よりも低くベルト部の表面上であり、誤って腹の肉を挟み込むことがない。【選択図】図１
0003171132.tif 000002
【実用新案登録請求の範囲】
【請求項１】
ズボンおよび前記ズボンの中に収めたシャツ類などの着衣のずれ防止機能を備えたインナーベルトであって、
腰部付近に巻いて装着するベルト部と、前記ベルト部を身体に装着した状態で繋ぎ止める接合部と、前記ズボン側の一般ベルトの下縁に対して上縁が対向するように前記ベルト部の表面側に複数個設けた突起構造物を備え、
前記突起構造物が、前記突起構造物を覆いかつ前記ズボンの中に収めた前記シャツ類を挟み込むことにより、前記ズボンおよび前記シャツ類などの着衣のずれ防止機能を備えたインナーベルト。
【請求項２】
前記ズボン側の一般ベルトの下縁を前記突起構造物の上縁で支持することにより、前記ズボンの下方へのずれ落ちを防止する請求項１に記載の着衣のずれ防止機能を備えたインナーベルト。
【請求項３】
前記ベルト部１１０の上縁の位置よりも前記突起構造物の上縁の位置が低くなるように取り付け、前記一般ベルトの下縁と前記突起構造物の上縁との対向位置が前記ベルト部１１０の上縁の位置よりも低く前記ベルト部の表面上である請求項１または２に記載の着衣のずれ防止機能を備えたインナーベルト。
【請求項４】
前記突起構造物の前記ベルト部の配置位置が、前記ベルト部を前記身体に装着した状態において腰の横側に位置するようにしたことを特徴とする請求項１乃至３のいずれか１項に記載の着衣のずれ防止機能を備えたインナーベルト。
【請求項５】
前記ベルト部を前記身体に装着した状態において、前記突起構造物を、前記ズボンの外側に巻く前記一般ベルトの装着位置の下縁に沿って前記ベルト部の長手方向に並ぶように複数個配置せしめたことを特徴とする請求項１乃至４のいずれか１項に記載の着衣のずれ防止機能を備えたインナーベルト。
【請求項６】
前記ベルト部の少なくとも一部が伸縮性素材で形成されたことを特徴とする請求項１乃至５のいずれか１項に記載の着衣のずれ防止機能を備えたインナーベルト。
【請求項７】
前記突起構造物の厚みが５ｍｍ以上３０ｍｍ以下とした請求項１乃至６のいずれか１項に記載の着衣のずれ防止機能を備えたインナーベルト。
【請求項８】
前記ベルト部に、磁力線発生体を保持せしめた請求項１乃至７のいずれか１項に記載の着衣のずれ防止機能を備えたインナーベルト。
【考案の詳細な説明】
【技術分野】
【０００１】
本考案は、ズボンや、当該ズボンの中に入れたシャツ類などの着衣がずれ下がったりずれ上がったりしないように、身体に保持し得る着衣のずれ防止機能を備えたインナーベルトに関する。
【背景技術】
【０００２】
日本の一般的な服装はズボンやスカートという下半身用の衣服と、ワイシャツやブラウスやＴシャツなど上半身用の衣服を組み合わせて着用するものが多い。ワイシャツやブラウス等のような上半身用の衣服は、ズボンやスカートなどの下半身用衣服の中に入れる形で着用することが基本である。しかし、ワイシャツやブラウス等のような上半身用の衣服は時間が経つにつれ利用者の動きなどに応じて裾がズボンやスカートなどの下半身用衣服からずれ上がってしまい見た目に不躾に見えることが多い。
【０００３】
また、ズボンやスカートなどの下半身用衣服は下方にずれ落ちないようにベルト類で腹部に締め付ける工夫をしていることが多いが、利用者の体型が腹部の出た体型であれば、やはり、時間が経つにつれ利用者の動きなどに応じてズボンやスカートなどの下半身用衣服が下方にずれ落ちてしまい見た目に不躾に見えることが多い。
【０００４】
そこで、ワイシャツやブラウス等のような上半身用の衣服の裾を押さえるためにワイシャツやブラウス等の裾をズボンやスカート等の中に入れ、それらのウェスト部をベルト等で締め付けることにより押さえるのが一般的であった。ところが、ズボンやスカート等の中に入れたワイシャツやブラウス等の裾は、ズボン等の内側表面との摩擦力が小さいため、上半身の前後左右の動きにより少しずつ上方に引っ張り上げられ、やがて外に抜け出て来ることがあった。
【０００５】
また、ズボンやスカートなどの下半身用衣服は下方にずれ落ちないようにベルト類で腹部に締め付けることにより押さえるのが一般的であった。
そこで、ズボンやスカート等がずれ落ちるのを防止するベルト類が既に提案されている。
【０００６】
ズボンやスカート等がずれ落ちるのを防止するベルト類としては、特開２０００−８０５０１号公報、特開２００２−２６６１４１号公報、特開２００７−３９８３７号公報、実開昭４９−５１４１９号公報、実公昭４４−３０８９１号公報、実開昭６２−９７１１０号公報、実公昭４４−１８９６８号公報などがある。
【０００７】
まず、特開２０００−８０５０１号公報は、図５に示すように、長手方向に弾性伸縮自在な帯状物本体と、上記帯状物本体の幅方向の一端側または両端側に長手方向に沿って複数設けられた掛け部であって、ズボンまたはスカートの内側に所要数設けてある掛止体に掛けるための掛け部を含んでいる帯状物が開示されている。
【０００８】
この特開２０００−８０５０１号公報の帯状物は、ズボンの下に装着する伸縮自在なインナーベルトで胴体を締め、体が動いて胴回りのサイズや形が変化しても柔軟に追従する状態とし、そのインナーベルトに多数のボタン掛け部を設けておき、また、ズボン側にも多数のボタンを設けておき、ズボン側のボタンにインナーベルト側のズボン掛け部を掛けることにより、ズボンのずれ落ちを防止するものである。つまりズボン側の革製などの一般のベルトは一度胴部に巻くとその径は変わらないので胴回りのサイズや形が変化すれば追従できず、胴部との間に隙間が生じてしまい、ズボンがずり落ちることとなってしまう。そこで、胴回りのサイズや形が変化しても柔軟に追従するインナーベルトを装着し、そのインナーベルトに対してズボンを取り付けることでズボンのずり落ちを防止するものである。
【０００９】
次に、特開２００２−２６６１４１号公報は、図６に示すように、表面の片側先端に面ファスナーを固着し、裏面の反対側先端に面ファスナーを固着した幅広の伸縮性素材よりなる腹帯を締めてシャツのはみ出しを防止し、腹帯の表面に固着した面ファスナーが、ズボンに装着した面ファスナーに接着してズボンのずり落ちを防止することを特徴とするずり落ち防止腹帯が開示されている。
この特開２００２−２６６１４１も、ズボンの下に装着する伸縮自在なインナーベルトで胴体を締め、体が動いて胴回りのサイズや形が変化しても柔軟に追従する状態とし、そのインナーベルトに面ファスナーを取り付けておき、ズボン側にも面ファスナーを取り付けておき、ズボン側の面ファスナーとインナーベルト側の面ファスナーを接合することにより、ズボンのずれ落ちを防止するものである。
【００１０】
次に、特開２００７−３９８３７号公報は、図７に示すように、ズボンの腰回り内側に装着するインナーベルトにおいて、周方向に伸びる縦糸が伸縮性糸、周直交方向の横糸が非伸縮性糸からなり、該縦糸及び横糸を織成する際にパイル糸を織り込んで外面側に面ファスナーを形成し、そして一端にも面ファスナーを設け、面ファスナー同士を接合させて取り付けるインナーベルトである。
この特開２００７−３９８３７号公報も、ズボンの下に装着する伸縮自在なインナーベルトで胴体を締め、体が動いて胴回りのサイズや形が変化しても柔軟に追従する状態とし、そのインナーベルトに面ファスナーを取り付けておき、ズボン側にも面ファスナーを取り付けておき、ズボン側の面ファスナーとインナーベルト側の面ファスナーを接合することにより、ズボンのずれ落ちを防止するものである。なお、インナーベルトとズボンの接合のためにインナーベルト用のインナーガイドを設けることも開示されている。
実公昭４４−３０８９１号公報、実開昭６２−９７１１０号公報、実公昭４４−１８９６８号公報も同様のものである。
【００１１】
【特許文献１】特開２０００−８０５０１号公報
【特許文献２】特開２００２−２６６１４１号公報
【特許文献３】特開２００７−３９８３７号公報
【特許文献４】実開昭４９−５１４１９号公報
【特許文献５】実公昭４４−３０８９１号公報
【特許文献６】実開昭６２−９７１１０号公報
【特許文献７】実公昭４４−１８９６８号公報
【考案の開示】
【考案が解決しようとする課題】
【００１２】
しかし、上記した各特許文献に開示されたベルト類では以下の問題があった。
まず、特開２０００−８０５０１号公報の帯状物は、ズボンのずれ落ちを防止することができるが、ズボン側に多数のボタン掛け部を設けねばならず、通常のズボンのまま使用することができない。つまり、ズボンについて改良を施さねばならないものであった。また、利用者が着衣する際、インナーベルトを装着した後、ズボンを履いた状態で多数のボタンを体の周囲にわたって掛けねばならず、着衣が難しいという問題点があった。
【００１３】
次に、特開２００２−２６６１４１号公報のずり落ち防止腹帯は、ズボンのずれ落ちを防止することができるが、ズボン側に面ファスナーを取り付けておかねばならず、通常のズボンのまま使用することができない。つまり、ズボンについて改良を施さねばならないものであった。また、利用者が着衣する際、インナーベルトを装着した後、ズボンを履いた状態でズボン側の面ファスナーとインナーベルト側の面ファスナーとを体の周囲にわたって接合せねばならず、着衣の手順が増えてしまうという問題点があった。
【００１４】
なお、特開２００７−３９８３７号公報のインナーベルト、実公昭４４−３０８９１号公報、実開昭６２−９７１１０号公報、実公昭４４−１８９６８号公報のベルト類についても、特開２００２−２６６１４１号公報のずり落ち防止腹帯と同様の問題点があり、面ファスナーを取り付ける関係上、ズボンの改変が必要となってしまい、また、ズボンの装着の際、面ファスナー同士を接合するという手順が増えてしまうという問題があった。
【００１５】
そこで、上記課題に鑑み、本発明は、ワイシャツやブラウス等の裾がズボンやスカート等の外に抜け出るのを防止するとともに、ズボンやスカート等がずれ落ちるのを防止する着衣のずれ防止機能を備えたインナーベルトを提供することを目的とする。
【課題を解決するための手段】
【００１６】
上記目的を達成するため、本考案の着衣のずれ防止機能を備えたインナーベルトは、ズボンおよび前記ズボンの中に収めたシャツ類などの着衣のずれ防止機能を備えたインナーベルトであって、腰部付近に巻いて装着するベルト部と、前記ベルト部を身体に装着した状態で繋ぎ止める接合部と、前記ズボン側の一般ベルトの下縁に対して上縁が対向するように前記ベルト部の表面側に複数個設けた突起構造物を備え、前記突起構造物が、前記突起構造物を覆いかつ前記ズボンの中に収めた前記シャツ類を挟み込むことにより、前記ズボンおよび前記シャツ類などの着衣のずれ防止機能を備えたインナーベルトである。
ズボンのずれ落ち防止については、前記ズボン側の一般ベルトの下縁を前記突起構造物の上縁で支持することにより達成される。
【００１７】
なお、前記突起構造物の取り付け位置については、前記ベルト部１１０の上縁の位置よりも前記突起構造物の上縁の位置が低くなるように取り付けることが好ましい。つまり、一般ベルトの下縁と前記突起構造物の上縁との対向位置が前記ベルト部１１０の上縁の位置よりも低く前記ベルト部の表面上となるように取り付けることが好ましい。
上記構成により、前記突起構造物の上縁と前記一般ベルトの下縁の間に、前記突起構造物を覆いかつ前記ズボンの中に収めた前記シャツ類を挟み込む際に、誤って利用者の腹の肉を挟み込む不具合が発生することがなくなる。なお、利用者の呼吸や動きにより腹の肉は膨らんだり歪んだりするが、一般ベルトの下縁と突起構造物の上縁との対向位置が、ベルト部１１０の上縁の位置よりも低く、ベルト部の表面上にくるようになっていれば、当該対向位置では確実にベルト部１１０により腹の肉が覆われているので誤って肉を挟み込むおそれがない。
【００１８】
次に、各部の構成について説明する。
ベルト部の素材は伸縮性素材とし、例えば、突起構造物の厚みは５ｍｍ以上３０ｍｍ以下とする。
上記構成により、インナーベルトは簡単に腰の周りに巻いて装着することができ、かつ、ワイシャツなどを普通に着て、さらに、ズボンを普通に履いてズボン用の一般ベルトを締めるだけで突起構造物の上縁と一般ベルトの下縁の間にズボンおよびシャツ類を挟み込むことができる。突起構造物の上縁と一般ベルトの下縁との間にズボンとシャツが併せてしっかりと挟持され、両者がずれることがなくなる。
【００１９】
なお、突起構造物のベルト部の配置位置は、ベルト部を身体に装着した状態において腰の横側に位置するものとすることが好ましい。
さらに、突起構造物の個数と並びについては、ベルト部を身体に装着した状態において、突起構造物を、ズボンの外側に巻く一般ベルトの装着位置の下縁に沿って長手方向に並ぶように複数個配置せしめることが好ましい。
このようにベルト部上に突起構造物を設けることにより、ズボンを普通に履いてズボン用の一般ベルトを締めるだけで突起構造物の上縁と一般ベルトの下縁とが上下方向で接して両者間でズボンとシャツが挟持されやすくなる。
【００２０】
つまり、本発明のインナーベルトによれば、ワイシャツなどのシャツ類は一般のシャツ類でも特に改変することがなく用いることができ、また、ズボン類も一般のズボン類でも特に改変することがなく用いることができる。
なお、本発明のインナーベルトにおいて、ベルト部に磁力線発生体を保持せしめておけば、血行を良くするという効果も得ることができる。
【考案の効果】
【００２１】
本考案の着衣のずれ防止機能を備えたインナーベルトは、簡単に腰の周りに巻いて装着することができ、かつ、ワイシャツなどを普通に着て、さらに、ズボンを普通に履いてズボン用の一般ベルトを締めるだけで突起構造物の上縁と一般ベルトの下縁の間にズボンおよびシャツ類を挟み込み、シャツ類とズボン類がずれることがなくなる。
【考案を実施するための最良の形態】
【００２２】
以下、図面を参照しつつ、本考案の着衣のずれ防止機能を備えたインナーベルトの実施形態を説明する。ただし、本考案の技術的範囲は以下の実施形態に示した具体的な用途や形状・寸法などには限定されない。
【実施例１】
【００２３】
図１は本考案にかかる着衣のずれ防止機能を備えたインナーベルト１００の構成例を示す図である。
図１（ａ）は正面図、図１（ｂ）は平面図となっている。
この構成例では、図１に示すように、インナーベルト１００は、ベルト部１１０、接合部１２０、突起構造物１３０を備えた構成となっている。ズボン５００およびズボン５００の中に収めたシャツ類４００などの着衣のずれ防止機能を備えたインナーベルトである。
【００２４】
ベルト部１１０は、腰部付近に巻いて装着するベルト状のものである。
なお、ベルト部１１０の素材としては少なくとも一部が伸縮性素材であることが好ましい。なぜならば、後述するように、インナーベルト１００を利用者の胴部に巻き付けて装着した後、利用者が動いたり呼吸をしたりして胴回りのサイズが変化してもベルト部１１０の素材が伸縮性素材であるならば胴回りのサイズの変化に柔軟に追従でき、常にインナーベルト１００が利用者の胴部に安定して装着できるという効果が得られるからである。
【００２５】
この構成例では、ベルト部１１０の接合部１２０近くの素材が伸縮性のある繊維素材で出来ており、メッシュ構造となっており、ベルト部１１０を利用者の胴部に装着した後に利用者が動いたり呼吸をしたりして胴回りのサイズが変化してもベルト部１１０の長手方向に自在に伸縮してその変化に柔軟に追従できるものとなっている。
【００２６】
接合部１２０は、ベルト部１１０を身体に装着した状態で繋ぎ止める部材である。ベルト部１１０の開放端にそれぞれ取り付けられ、開放端同士を併せ、ベルト部１１０を利用者の身体の胴回りに巻き付けた状態で接合する。この構成例では接合部１２０はベルト部１１０の長手方向にある程度の幅を持つものとなっている。
【００２７】
接合部１２０は、例えば、面ファスナーなどでも良い。雄面の面ファスナーをベルト部１１０の開放端の一方側に取り付け、雌面の面ファスナーをベルト部１１０の開放端の他方側に取り付けておけば、雄面と雌面の面ファスナー同士を接合することにより簡単に両者を接合したり開放したりすることができる。また、雄面と雌面の面ファスナー同士の接合箇所は適度に変更することができるので、利用者の胴回りの大きさに応じて調節することができるので好都合である。
【００２８】
突起構造物１３０は、ベルト部１１０の表面側に設けた構造物であり、図１の構成例では、ズボン５００側の一般ベルトの下縁に対して上縁が対向するようにベルト部１１０の表面側に複数個設けたものとなっている。
【００２９】
突起構造物１３０の形状は特に限定されないが、後述するように、ズボン５００の外側に巻く一般ベルト２００の下縁に接する位置に配置され、一般ベルト２００の下縁と突起構造物１３０の上縁とが対向して間に挟まれたズボン５００やシャツ類４００の布を挟み込んで保持する働きを発揮するものである。
なお、ズボン５００のずれ落ち防止については、ズボン５００側の一般ベルト２００の下縁を突起構造物１３０の上縁で支持することにより達成される。
【００３０】
図１に示した突起構造物１３０の構成例は円柱形となっている。突起構造物１３０の厚みは２０ｍｍとなっているが、ズボン５００の外側に巻く一般ベルト２００の厚みに対応して選択することができる。
突起構造物１３０の素材は特に限定されないが、後述するように、ズボン５００の外側に巻く一般ベルト２００の下縁との間でズボン５００およびシャツ類４００を挟み込むため、布類との間で強い摩擦力が生じやすい素材、つまり粗面化され摩擦係数の大きなものが好適である。例えば、表面を粗面化したウレタン素材などで良い。
【００３１】
図１に示した突起構造物１３０の構成例では、ベルト部１１０を身体に装着した状態において腰の横側に位置するように左右にそれぞれ３つずつ配置されたものとなっている。図１では１３０ａ〜１３０ｆとして示している。
【００３２】
それら突起構造物１３０の配置は特に限定されないが、各々の突起構造物１３０ａ〜１３０ｆとズボン５００の外側に巻く一般ベルト２００の下縁との間でズボン５００およびシャツ類４００を挟み込むため、それらの上縁が揃うように配置されている。つまり、ベルト部１１０を身体に装着した状態において、一般ベルト２００の装着位置の下縁に沿ってベルト部１１０の長手方向に並ぶように複数個配置せしめている。このように、各々の突起構造物１３０ａ〜１３０ｆを一般ベルト２００の装着位置の下縁に沿ってベルト部１１０の長手方向に並べることにより、各々の突起構造物１３０ａ〜１３０ｆのすべてにおいてその上縁と一般ベルト２００の下縁とがしっかりと対応し合い、ズボン５００およびシャツ類４００を挟み込むことができ、強い摩擦力を発生させることができる。
【００３３】
次に、それら突起構造物１３０のベルト部１１０上への取り付け位置については、図１に示すように、ベルト部１１０の上縁の位置よりも突起構造物１３０の上縁の位置が低くなるように取り付けることが好ましい。このように、突起構造物１３０の取り付け位置がベルト部１１０の上縁の位置よりも低ければ、後述する図２に示すように、一般ベルト２００の下縁と突起構造物１３０の上縁との対向位置がベルト部１１０の上縁の位置よりも低くなることとなる。
【００３４】
突起構造物１３０の上縁と一般ベルト２００の下縁の対向位置が低くなると、一般ベルト２００の表面上で突起構造物１３０と一般ベルト２００が対向することとなり、後述する図４に示すように、両者の間にシャツ類４００を挟み込んでも誤って利用者の腹の肉を挟み込む不具合が発生することがなくなる。なお、利用者の呼吸や動きにより腹の肉は膨らんだり歪んだりするが、当該対向位置では確実にベルト部１１０により腹の肉が覆われているので誤って肉を挟み込むおそれがない。
【００３５】
次に、磁力線発生体１４０について説明する。
この構成例では、ベルト部１１０に磁力線発生体１４０を埋設した構成例となっている。この磁力線発生体１４０はオプションであり、必ずしも必須の構成ではないことは言うまでもない。なお、磁力線発生体１４０としては市販の磁力線発生体を利用することができる。
【００３６】
磁力線発生体１４０の埋設位置は特に限定されないが、例えば、利用者がベルト部１１０を装着した状態において腰に位置するようにベルト部１１０に埋設しておく。磁力線発生体１４０が腰に位置することにより、腰部の血行を良くするなど腰痛の緩和に役立つことが期待できる。
【００３７】
以下、本考案にかかる着衣のずれ防止機能を備えたインナーベルト１００の使用手順について順を追って説明する。
図２は、本考案に係るインナーベルト１００の使用手順を簡単に示す図である。
【００３８】
［手順１］インナーベルト１００の装着
まず、利用者は、図２（ａ）に示すように、パンツや肌着３００などの下着を履いた状態にて、本考案にかかるインナーベルト１００を胴回りに巻き付けつつ、開放端に設けられた接合部１２０を用いて適度な径となるよう調節しつつ本考案にかかるインナーベルト１００を胴回りに装着する。利用者の呼吸や動作によってもずれ落ちないように多少のテンションが発生する程度の強さで装着した方が良い。ベルト部１１０自体が伸縮性の素材であれば利用者の呼吸や動作によってもずれ落ちずに適度なテンションによって胴体を締めることができる。
なお、パンツや肌着３００など上下の下着を履いた状態としたが、肌着３００は履かずにインナーベルト１００を装着しても良い。
【００３９】
［手順２］シャツ類４００などの装着
手順１で装着したインナーベルト１００は装着したまま、図２（ｂ）に示すように、その上からワイシャツやブラウスやＴシャツなどのシャツ類４００を着る。なお、手順１で肌着３００を履かずに手順２となる場合、肌着３００を履いてさらにワイシャツなどのシャツ類４００を装着する。
【００４０】
［手順３］ズボン５００と一般ベルトの装着
次に、図２（ｃ）に示すように、ズボン５００を普通に履く。その際、ワイシャツやブラウスやＴシャツなどのシャツ類４００はズボン５００の中に入れ、その上からズボン５００の通常取り付ける一般のベルト２００を締める。つまり、ズボン５００の中にワイシャツやブラウスやＴシャツなどのシャツ類４００があり、さらにその中にはインナーベルト１００がある。
ここで、一般ベルト２００は、図２（ｃ）に示すように、インナーベルト１００を上から覆うように取り付けられ、一般ベルト２００の下縁がインナーベルト１００の突起構造物１３０の上縁と接する状態となる。
【００４１】
インナーベルト１００の装着手順としては以上の手順のみで良く、特に手順２と手順３は通常に衣服を付ける手順と同様であり、特に利用者に複雑な手間を掛けさせるものではない。
【００４２】
図３は、本考案のインナーベルト１００と一般ベルト２００との間で挟み込んだシャツ類４００などの布類との間で強い摩擦力が生じている状態を説明する図である。
図３の例は、インナーベルト１００と一般ベルト２００とシャツ類４００などの関係が分かりやすいように縦断面図の端面により示している。
【００４３】
図３に示すように、下側にインナーベルト１００の突起構造物１３０が位置し、その上にワイシャツなどのシャツ類４００およびズボン５００の布類が位置し、その上から一般ベルト２００が上に載っている。
【００４４】
一般ベルト２００はズボン５００のベルト通しを介してズボン５００の重量を受け止め、また、利用者の体型に沿って骨盤に当接するまで下方に下がって行きやすく、一般ベルト２００の下側に位置するインナーベルト１００の突起構造物１３０の上縁にある程度の圧力を伴って当接することとなる。
一般ベルト２００の下向きへの圧力がかかるほど、一般ベルト２００の下縁とインナーベルト１００の突起構造物１３０の上縁との間に挟持されるワイシャツなどのシャツ類４００およびズボン５００に対して強い摩擦力が生じることとなる。シャツ類４００およびズボン５００が強い摩擦力を伴って般ベルト２００の下縁とインナーベルト１００の突起構造物１３０の上縁との間に挟持されることにより、シャツ類４００およびズボン５００がずれ動くことがなくなる。
つまり、使用者が腕を上方に挙げて脇や腹を伸ばしても、シャツ類４００が過剰にズボン５００の上にずれ出ることがなくなり、使用者の着衣が乱れることがなくなる。
【００４５】
次に、突起構造物１３０の上縁と一般ベルト２００の下縁の間においてシャツ類４００を挟み込んでも、誤って利用者の腹の肉を挟み込む不具合が発生することがない点について説明する。
図４は、本考案のインナーベルト１００の場合には腹の肉の挟み込みのおそれがなく、比較として検討するインナーベルトの場合には腹の肉の挟み込みのおそれがあることを示す図である。
【００４６】
利用者の呼吸や動きにより腹の肉は膨らんだり歪んだりするが、今、図４（ｂ）に示すように、突起構造物１３０の上縁と一般ベルト２００の下縁の対向位置が、ベルト部１１０の上縁よりも上にあれば、利用者の呼吸や動きにより腹の肉が膨らんだり歪んだりして突起構造物１３０の上縁と一般ベルト２００の下縁の間に腹の肉が入り込んでしまい、誤って肉を挟み込むことがあり得る。
【００４７】
しかし、図４（ａ）に示す本考案のインナーベルト１００の場合であれば、突起構造物１３０の上縁と一般ベルト２００の下縁の対向位置が、ベルト部１１０の上縁よりも下にあるため、かならず、突起構造物１３０の上縁と一般ベルト２００の下縁によるシャツ類４００の挟持位置がインナーベルト１００のベルト部１１０の表面上にあり、腹の肉はベルト部１１０で覆われているので誤って肉を挟み込むおそれがない。
【００４８】
以上、本考案の着衣のずれ防止機能を備えたインナーベルトにおける好ましい実施例を図示して説明してきたが、本考案の技術的範囲を逸脱することなく種々の変更が可能であることは理解されるであろう。
【産業上の利用可能性】
【００４９】
本考案は、ズボンや、当該ズボンの中に入れたシャツ類などの着衣がずれ下がったりずれ上がったりしないように、身体に保持し得る着衣のずれ防止機能を備えたインナーベルトとして広く適用することができる。
【図面の簡単な説明】
【００５０】
【図１】本考案に係る着衣のずれ防止機能を備えたインナーベルト１００の構成例を示す図である。
【図２】本考案に係るインナーベルト１００の使用手順を簡単に示す図である。
【図３】本考案のインナーベルト１００と一般ベルト２００との間で挟み込んだシャツ類４００などの布類との間で強い摩擦力が生じている状態を説明する図である。
【図４】本考案のインナーベルト１００の場合には腹の肉の挟み込みのおそれがなく、比較として検討するインナーベルトの場合には腹の肉の挟み込みのおそれがあることを示す図である。
【図５】特開２０００−８０５０１号公報に記載のベルトを示す図である。
【図６】特開２００２−２６６１４１号公報に記載のずり落ち防止腹帯を示す図である。
【図７】特開２００７−３９８３７号公報記載のインナーベルトを示す図である。
【符号の説明】
【００５１】
１００  インナーベルト
１１０  ベルト部
１２０  接合部
１３０  突起構造物
１４０  磁力線発生体
【図１】
0003171132.tif 000003
【図２】
0003171132.tif 000004
【図３】
0003171132.tif 000005
【図４】
0003171132.tif 000006
【図５】
0003171132.tif 000007
【図６】
0003171132.tif 000008
【図７】
0003171132.tif 000009